(57)【特許請求の範囲】
【請求項１】
本体（１）を有するヘアアイロンにおいて、前記本体（１）は第一近端（２）と第一遠端（３）とを有し；前記本体（１）の内部には第一内空間（４）が形成され；前記第一近端（２）には前記第一内空間（４）と連通する第一長形溝（６）が開設されており；前記第一長形溝（６）の第一開口（８）は前記第一近端（２）に開設されており；前記ヘアアイロンはさらに前記第一内空間（４）中に可動的に設けられた第一可動アーム（７）を有し；前記第一長形溝（６）の溝壁及び／又は前記第一可動アーム（７）には頭髪（３３）を加熱するための加熱部材が設けられ、
前記本体（１）にはさらに連結部材が設けられており、前記連結部材は可動機構を有し、前記可動機構はヒンジ機構（１３）であり、前記第一可動アーム（７）は当該ヒンジ機構（１３）を通じて前記本体（１）と相互に連結されていることを特徴とするヘアアイロン。
【請求項２】
前記本体（１）の前記第一近端（２）側の側壁は頭髪（３３）を冷却するための本体外壁（５）であり；前記本体外壁（５）は曲面（２７）を有し；前記加熱部材の作動時に、頭髪（３３）は前記第一長形溝（６）に進入し、当該加熱部材により加熱されることで当該頭髪（３３）のタンパク質中の水素結合は第一長形溝中で切断され；頭髪（３３）は、前記第一長形溝（６）から離れる際に降温されることで前記水素結合を再形成し；頭髪（３３）は前記本体外壁（５）と接触する際にカールされることを特徴とする請求項１に記載のヘアアイロン。
【請求項３】
前記加熱部材は、前記第一可動アーム（７）に設けられた加熱面（１２）と、当該加熱面（１２）と連結し、前記加熱面（１２）を昇温させるための加熱ユニット（２８）とを有し；前記加熱部材の作動時において、前記加熱面（１２）の温度は前記本体外壁（５）の温度より高く；前記加熱面（１２）の温度が１８０℃より高いとき、前記本体外壁（５）の温度と前記加熱面（１２）の温度との差は少なくとも９０℃であり、又は前記本体外壁（５）の温度は前記加熱面（１２）の温度と比べて５０％低いことを特徴とする請求項２に記載のヘアアイロン。
【請求項４】
前記加熱部材は前記第一長形溝（６）の溝壁に設けられた加熱体（１４）を有し、前記本体（１）内にはさらに断熱機構（１５）が設けられており；前記加熱体（１４）は当該断熱機構（１５）を通じて前記本体（１）と連結しており；前記加熱部材の作動時において、前記加熱体（１４）の温度は前記本体外壁（５）の温度より高く；前記加熱体（１４）の温度が１８０℃より高いとき、前記本体外壁（５）の温度と前記加熱体（１４）の温度との差は少なくとも９０℃であり、又は前記本体外壁（５）の温度は前記加熱体（１４）の温度と比べて５０％低いことを特徴とする請求項３に記載のヘアアイロン。
【請求項５】
前記第一長形溝（６）は前記第一開口（８）から前記第一遠端（３）へと延伸しており、前記第一長形溝（６）において、前記第一遠端（３）から離れた、前記第一近端（２）に接近する部位には底部（９）が設けられており；前記ヒンジ機構（１３）は前記底部（９）と前記第一遠端（３）との間に設けられており；前記ヒンジ機構（１３）の軸心は前記第一長形溝（６）の延伸方向に対し垂直であり；前記第一可動アーム（７）は前記ヒンジ機構（１３）の軸心を枢軸として回転し、且つ、前記第一可動アーム（７）と前記第一長形溝（６）の溝壁は挟み部を形成することを特徴とする請求項１に記載のヘアアイロン。
【請求項６】
前記ヒンジ機構（１３）はさらにボタン（１８）を有し、当該ボタン（１８）は連結ロッド（１８１）を通じて前記ヒンジ機構（１３）の軸心と連結しており；前記第一長形溝（６）の溝壁と前記第一可動アーム（７）との間の最小距離は少なくとも０．５ｍｍであることを特徴とする請求項５に記載のヘアアイロン。
【請求項７】
本体（１）を有するヘアアイロンにおいて、前記本体（１）は第一近端（２）と第一遠端（３）とを有し；前記本体（１）の内部には第一内空間（４）が形成され；前記第一近端（２）には前記第一内空間（４）と連通する第一長形溝（６）が開設されており；前記第一長形溝（６）の第一開口（８）は前記第一近端（２）に開設されており；前記ヘアアイロンはさらに前記第一内空間（４）中に可動的に設けられた第一可動アーム（７）を有し；前記第一長形溝（６）の溝壁及び／又は前記第一可動アーム（７）には頭髪（３３）を加熱するための加熱部材が設けられ、
前記ヘアアイロンはさらにグリップ部材（２０）と、回転可能に前記第一遠端（３）に設けられた回転可能機構（２１）とを有し、
前記第一長形溝（６）は前記第一開口（８）から前記第一遠端（３）へと延伸しており；前記ヘアアイロンはさらに前記第一内空間（４）中に可動的に設けられた第二可動アーム（１０）を有し；前記第一可動アーム（７）及び前記第二可動アーム（１０）はそれぞれ前記回転可能機構（２１）に固定的に連結されていることを特徴とするヘアアイロン。
【請求項８】
前記第一近端（２）の前記第一開口（８）側には切欠き口（５６）が開設されており、当該切欠き口（５６）は前記第一開口（８）から前記第一遠端（３）へと延伸しており；前記切欠き口（５６）の延伸長さは前記第一長形溝（６）の延伸長さよりも短く形成されていることを特徴とする請求項７に記載のヘアアイロン。
【請求項９】
本体（１）を有するヘアアイロンにおいて、前記本体（１）は第一近端（２）と第一遠端（３）とを有し；前記本体（１）の内部には第一内空間（４）が形成され；前記第一近端（２）には前記第一内空間（４）と連通する第一長形溝（６）が開設されており；前記第一長形溝（６）の第一開口（８）は前記第一近端（２）に開設されており；前記ヘアアイロンはさらに前記第一内空間（４）中に可動的に設けられた第一加熱アーム（７７）を有し、
前記ヘアアイロンはさらにグリップ部材（２０）と、回転可能に前記第一遠端（３）に設けられた回転可能機構（２１）とを有し、
前記第一長形溝（６）は前記第一開口（８）から前記第一遠端（３）へと延伸しており；第一加熱アーム（７７）には頭髪（３３）を加熱するための加熱部材が設けられており、
前記第一加熱アーム（７７）は前記回転可能機構（２１）に固定的に連結されており、
前記ヘアアイロンはさらに前記回転可能機構（２１）と固定的に連結している第二加熱アーム（７１０）を有し；前記回転可能機構（２１）が回転する際に、前記第一加熱アーム（７７）及び前記第二加熱アーム（７１０）は本体（１）に対して回転することを特徴とするヘアアイロン。
【請求項１０】
前記第一加熱アーム（７７）は前記第一内空間（４）の外側まで延伸し、前記第二加熱アーム（７１０）は前記第一内空間（４）の外側まで延伸していることを特徴とする請求項９に記載のヘアアイロン。
【請求項１１】
本体（１）を有するヘアアイロンにおいて、前記本体（１）は第一近端（２）と第一遠端（３）とを有し；前記本体（１）の内部には第一内空間（４）が形成され；前記第一近端（２）には前記第一内空間（４）と連通する第一長形溝（６）が開設されており；前記第一長形溝（６）の第一開口（８）は前記第一近端（２）に開設されており；前記ヘアアイロンはさらに前記第一内空間（４）中に可動的に設けられた第一加熱アーム（７７）を有し、
前記ヘアアイロンはさらにグリップ部材（２０）と、回転可能に前記第一遠端（３）に設けられた回転可能機構（２１）とを有し、
前記第一長形溝（６）は前記第一開口（８）から前記第一遠端（３）へと延伸しており；第一加熱アーム（７７）には頭髪（３３）を加熱するための加熱部材が設けられており、
前記本体（１）の径方向における幅は前記第一近端（２）から前記第一遠端（３）に向かって狭く形成されていることを特徴とするヘアアイロン。
【請求項１２】
前記第一長形溝（６）の本体（１）の周方向に沿う幅は、前記第一近端（２）から前記第一遠端（３）に向かって先に拡大し、後に縮小していくよう形成されており；前記第一開口と前記第一加熱アームは環状開口を構成し、前記第一開口（８）は近端（２）側に二つの近端角を形成していることを特徴とする請求項１１に記載のヘアアイロン。
【請求項１３】
前記第一加熱アーム（７７）は円柱状を呈しており；前記第一加熱アーム（７７）は前記第一内空間（４）の外側まで延伸し；前記本体（１）は前記回転可能機構（２１）と連結しており、当該回転可能機構（２１）が回転する際に、前記本体（１）は前記第一加熱アーム（７７）に対して回転することを特徴とする請求項１１に記載のヘアアイロン。
【請求項１４】
前記本体（１）は内壁（９７）を有し、当該内壁には凸骨部（９９）が設けられており、当該凸骨部（９９）は前記第一近端（２）から前記第一遠端（３）に向かって延伸していることを特徴とする請求項１２に記載のヘアアイロン。
【請求項１５】
前記ヘアアイロンはさらに本体（１）と同軸に設けられ、且つ前記グリップ部材（２０）と固定的に連結するカバー（５１）を有し；当該カバー（５１）は第二近端（５２）と第二遠端（５３）とを有し；当該カバー（５１）には第二長形溝（５４）が開設されており、当該第二長形溝（５４）の第二開口（５８）は前記第二近端（５２）に設けられており；当該第二長形溝（５４）は第二近端（５２）から第二遠端（５３）に向かって延伸していることを特徴とする請求項１２に記載のヘアアイロン。
【請求項１６】
前記第二長形溝（５４）のカバー（５１）の周方向に沿う幅は前記第二近端（５２）から前記第二遠端（５３）に向かって狭く形成されていることを特徴とする請求項１５に記載のヘアアイロン。
【請求項１７】
前記カバー（５１）の径方向における幅は前記第二近端（５２）から前記第二遠端（５３）に向かって狭く形成されていることを特徴とする請求項１５に記載のヘアアイロン。
【請求項１８】
前記本体（１）は前記回転可能機構（２１）と連結しており；当該回転可能機構（２１）が回転する際に、前記本体（１）は前記カバー（５１）に対して回転することを特徴とする請求項１５に記載のヘアアイロン。
【請求項１９】
前記ヘアアイロンはさらに、前記グリップ部材（２０）に設けられ、前記回転可能機構（２１）を回転駆動させるための電動機；前記グリップ部材（２０）に設けられ、前記回転可能機構（２１）の回転位置を検出する回転位置検出装置；及び前記電動機と前記回転位置検出装置の各々と電気的に連結し、前記ヘアアイロンの動作停止後、前記回転可能機構（２１）が初期位置に復帰するよう制御する制御ユニットを有することを特徴とする請求項１８に記載のヘアアイロン。
【請求項２０】
以下の工程を含む、ヘアアイロンの使用方法：
Ｓ１）本体（１）を有するヘアアイロンにおいて、前記本体（１）の内部には第一内空間（４）が形成され；当該本体（１）は第一近端（２）と第一遠端（３）とを有し；前記第一近端（２）には前記第一内空間（４）と連通する第一長形溝（６）が開設されており；前記ヘアアイロンはさらに前記第一内空間（４）中に設けられた加熱部材を有し；前記本体（１）の前記第一近端（２）側の側壁は頭髪（３３）を冷却するための本体外壁（５）であり；
Ｓ２）頭髪（３３）は根元部（２２）及び毛先（２３）を含み；頭髪（３３）の根元部（２２）に近い部分を前記第一長形溝（６）内に入れた後、前記本体（１）を回転させることで、頭髪（３３）を前記本体外壁（５）に巻き付け；
Ｓ３）頭髪（３３）の前記第一長形溝（６）中にある部分を前記加熱部材で加熱しつつ、前記本体（１）を前記毛先（２３）の方向へと移動させることで、頭髪（３３）の前記加熱部材によって加熱された部分は前記第一長形溝（６）を離れた後、前記本体外壁（５）と接触することで冷却され、カール部（２４）を形成し、頭髪（３３）の未カール部（２５）は続けて前記第一長形溝（６）に進入し、前記加熱部材により加熱され；
Ｓ４）工程Ｓ３を繰り返すことにより、頭髪（３３）をカールさせる、
ことを特徴とするヘアアイロンの使用方法。
【発明の詳細な説明】
【技術分野】
【０００１】
本発明は美容の分野に係るものであり、特にヘアアイロン及びその使用方法に関するものである。
【背景技術】
【０００２】
既存の大多数のヘアアイロンは外部に露出している丸棒状の加熱部材を有する；使用時において、頭髪を加熱部材に巻き付けて加熱し、加熱部材の形状に従って頭髪を変形及び定型させることで、頭髪のカール度合を向上させる。ヘアアイロンの基本原理は：頭髪は主にタンパク質で構成されており、タンパク質の構成する骨格構造が頭髪の形状を決定し；タンパク質中には、ジスルフィド結合、水素結合及び塩結合等の化学結合があり；これらの化学結合は頭髪の構造及び形状を維持するためのものである。ストレートの頭髪を加熱部材に巻き付けて加熱し、加熱部材の熱量が頭髪を膨張させ、且つタンパク質中の化学結合が切断されることでストレートの頭髪の構造は改変可能な状態となる。その際、ストレートの頭髪は曲面に巻き付いた途端、カールし、巻き毛となる。巻き毛が冷却された際、タンパク質中の化学結合は再び形成され、頭髪を巻き毛の状態に維持する。しかしながら、既存のヘアアイロンには以下のような欠点が存在する：１）高温は頭髪の健康を害し、頭髪の水分を失わせる；ヘアアイロンのカール効率を向上させるために、既存のヘアアイロンの加熱部材の動作温度は通常２００℃もの高温に達し、頭髪と加熱部材との接触時間が長くなる場合、頭髪は深刻なダメージを負うことになる。２）さらに、発熱部材は外部に露出しているため、ユーザの手、頭髪及び顔が火傷を負う可能性がある。
【発明の概要】
【発明が解決しようとする課題】
【０００３】
既存のヘアアイロンにおける、カール時に頭髪が過度に加熱され、深刻なダメージを負うという問題を鑑みて、本発明はヘアアイロン及びその使用方法を提供する。
【課題を解決するための手段】
【０００４】
本発明はヘアアイロンを提供するものであり、本体を有するヘアアイロンにおいて、前記本体は第一近端と第一遠端とを有し；前記本体の内部には第一内空間が形成され；前記第一近端には前記第一内空間と連通する第一長形溝が開設されており；前記第一長形溝の第一開口は前記第一近端に開設されており；前記ヘアアイロンはさらに前記第一内空間中に可動的に設けられた第一可動アームを有し；前記第一長形溝の溝壁及び／又は前記第一可動アームには頭髪を加熱するための加熱部材が設けられている。
【０００５】
本発明の前記のヘアアイロンにおいて、前記本体にはさらに連結部材が設けられており、前記連結部材は可動機構を有し、前記可動機構はヒンジ機構であり、前記第一可動アームは当該ヒンジ機構を通じて前記本体と相互に連結されている。
【０００６】
本発明の前記のヘアアイロンにおいて、前記本体の前記第一近端側の側壁は頭髪を冷却するための本体外壁であり；前記本体外壁は曲面を有し；前記加熱部材の作動時に、頭髪は前記第一長形溝に進入し、当該加熱部材により加熱されることで当該頭髪のタンパク質中の水素結合は第一長形溝中で切断され；頭髪は、前記第一長形溝から離れる際に降温されることで前記水素結合を再形成し；頭髪は前記本体外壁と接触する際にカールされる。
【０００７】
本発明の前記のヘアアイロンにおいて、前記加熱部材は、前記第一可動アームに設けられた加熱面と、当該加熱面と連結し、前記加熱面を昇温させるための加熱ユニットとを有し；前記加熱部材の作動時において、前記加熱面の温度は前記本体外壁の温度より高く；前記加熱面の温度が１８０℃より高いとき、前記本体外壁の温度と前記加熱面の温度との差は少なくとも９０℃であり、又は前記本体外壁の温度は前記加熱面の温度と比べて５０％低い。
【０００８】
本発明の前記のヘアアイロンにおいて、前記加熱部材は前記第一長形溝の溝壁に設けられた加熱体を有し、前記本体内にはさらに断熱機構が設けられており；前記加熱体は当該断熱機構を通じて前記本体と連結しており；前記加熱部材の作動時において、前記加熱体の温度は前記本体外壁の温度より高く；前記加熱体の温度が１８０℃より高いとき、前記本体外壁の温度と前記加熱体の温度との差は少なくとも９０℃であり、又は前記本体外壁の温度は前記加熱体の温度と比べて５０％低い。
【０００９】
本発明の前記のヘアアイロンにおいて、前記第一長形溝は前記第一開口から前記第一遠端へと延伸しており、前記第一長形溝において、前記第一遠端から離れた、前記第一近端に接近する部位には底部が設けられており；前記ヒンジ機構は前記底部と前記第一遠端との間に設けられており；前記ヒンジ機構の軸心は前記第一長形溝の延伸方向に対し垂直であり；前記第一可動アームは前記ヒンジ機構の軸心を枢軸として回転し、且つ、前記第一可動アームはと前記第一長形溝の溝壁は挟み部を形成する。
【００１０】
本発明の前記のヘアアイロンにおいて、前記ヒンジ機構はさらにボタンを有し、当該ボタンは連結ロッドを通じて前記ヒンジ機構の軸心と連結しており；前記第一長形溝の溝壁と前記第一可動アームとの間の最小距離は少なくとも０．５ｍｍである。
【００１１】
本発明の前記のヘアアイロンにおいて、前記ヘアアイロンはさらにグリップ部材と、回転可能に前記第一遠端に設けられた回転可能機構とを有する。
【００１２】
本発明の前記のヘアアイロンにおいて、前記第一長形溝は前記第一開口から前記第一遠端へと延伸しており；前記ヘアアイロンはさらに前記第一内空間中に可動的に設けられた第二可動アームを有し；前記第一可動アーム及び前記第二可動アームはそれぞれ前記回転可能機構に固定的に連結されている。
【００１３】
本発明の前記のヘアアイロンにおいて、前記第一近端の前記第一開口側には切欠き口が開設されており、当該切欠き口は前記第一開口から前記第一遠端へと延伸しており；前記切欠き口の延伸長さは前記第一長形溝の延伸長さよりも短く形成されている。
【００１４】
本発明の前記のヘアアイロンにおいて、前記第一長形溝は前記第一開口から前記第一遠端へと延伸しており；第一加熱アームには頭髪を加熱するための加熱部材が設けられている。
【００１５】
本発明の前記のヘアアイロンにおいて、前記第一加熱アームは前記回転可能機構に固定的に連結されている。
【００１６】
本発明の前記のヘアアイロンにおいて、前記第一加熱アームは前記第一内空間の外側まで延伸している。
【００１７】
本発明の前記のヘアアイロンにおいて、前記ヘアアイロンはさらに前記回転可能機構と固定的に連結している第二加熱アームを有し；前記第二加熱アームは前記第一内空間の外側まで延伸し；前記回転可能機構が回転する際に、前記第一加熱アーム及び前記第二加熱アームは本体に対して回転する。
【００１８】
本発明の前記のヘアアイロンにおいて、前記本体の径方向における幅は前記第一近端から前記第一遠端に向かって狭く形成されている。
【００１９】
本発明の前記のヘアアイロンにおいて、前記第一長形溝の本体の周方向に沿う幅は、前記第一近端から前記第一遠端に向かって先に拡大し、後に縮小していくよう形成されており；前記第一開口と前記第一加熱アームは環状開口を構成し、前記第一開口は近端側に二つの近端角を形成している。
【００２０】
本発明の前記のヘアアイロンにおいて、前記第一加熱アームは円柱状を呈しており；前記第一加熱アームは前記第一内空間の外側まで延伸し；前記本体は前記回転可能機構と連結しており、当該回転可能機構が回転する際に、前記本体は前記第一加熱アームに対して回転する。
【００２１】
本発明の前記のヘアアイロンにおいて、前記本体の径方向における幅は前記第一近端から前記第一遠端に向かって狭く形成されている。
【００２２】
本発明の前記のヘアアイロンにおいて、前記本体は内壁を有し、当該内壁には凸骨部が設けられており、当該凸骨部は前記第一近端から前記第一遠端に向かって延伸している。
【００２３】
本発明の前記のヘアアイロンにおいて、前記ヘアアイロンはさらに本体と同軸に設けられ、且つ前記グリップ部材と固定的に連結するカバーを有し；当該カバーは第二近端と第二遠端とを有し；当該カバーには第二長形溝が開設されており、当該第二長形溝の第二開口は前記第二近端に設けられており；当該第二長形溝は第二近端から第二遠端に向かって延伸している。
【００２４】
本発明の前記のヘアアイロンにおいて、前記第二長形溝のカバーの周方向に沿う幅は前記第ニ近端から前記第二遠端に向かって狭く形成されている。
【００２５】
本発明の前記のヘアアイロンにおいて、前記カバーの径方向における幅は前記第二近端から前記第二遠端に向かって狭く形成されている。
【００２６】
本発明の前記のヘアアイロンにおいて、前記本体は前記回転可能機構と連結しており；当該回転可能機構が回転する際に、前記本体は前記カバーに対して回転する。
【００２７】
本発明の前記のヘアアイロンにおいて、前記ヘアアイロンはさらに、前記グリップ部材に設けられ、前記回転可能機構を回転駆動させるための電動機；前記グリップ部材に設けられ、前記回転可能機構の回転位置を検出する回転位置検出装置；及び前記電動機と前記回転位置検出装置の各々と電気的に連結し、前記ヘアアイロンの動作停止後、前記回転可能機構が初期位置に復帰するよう制御する制御ユニットを有する。
【００２８】
本発明はさらにヘアアイロンの使用方法を提供するものであり、当該使用方法は以下の工程を含む：
【００２９】
Ｓ１）本体を有するヘアアイロンにおいて、前記本体の内部には第一内空間が形成され；当該本体は第一近端と第一遠端とを有し；前記第一近端には前記第一内空間と連通する第一長形溝が開設されており；前記ヘアアイロンはさらに前記第一内空間中に設けられた加熱部材を有し；前記本体の前記第一近端側の側壁は頭髪を冷却するための本体外壁であり；
【００３０】
Ｓ２）頭髪は根元部及び毛先を含み；頭髪の根元部に近い部分を前記第一長形溝内に入れた後、前記本体を回転させることで、頭髪を前記本体外壁に巻き付け；
【００３１】
Ｓ３）頭髪の前記第一長形溝中にある部分を前記加熱部材で加熱しつつ、前記本体を前記毛先の方向へと移動させることで、頭髪の前記加熱部材によって加熱された部分は前記第一長形溝を離れた後、前記本体外壁と接触することで冷却され、カール部を形成し、頭髪の未カール部は続けて前記第一長形溝に進入し、前記加熱部材により加熱され；
【００３２】
Ｓ４）工程Ｓ３を繰り返すことにより、頭髪をカールさせる。
【発明の効果】
【００３３】
本発明は、加熱部材をヘアアイロンの内部に設け、頭髪をヘアアイロンの外部で冷却させることで、過度の頭髪の加熱による深刻なダメージを回避する。さらに、本発明は、曲面を有する本体外壁により、加熱された頭髪を迅速に冷却するという目的を達成し、頭髪をカールさせる効率を向上させる。本発明は簡単で使いやすく、安全である。
【図面の簡単な説明】
【００３４】
【図１】本発明の実施例１のヘアアイロンの概略図である。
【図２】図１に示すヘアアイロンの内部参考概略図である。
【図３】本発明の実施例２のヘアアイロンの概略図である。
【図４】図３に示すヘアアイロンの外部参考概略図である。
【図５】図１に示すヘアアイロンの第一使用状態参考図である。
【図６】図１に示すヘアアイロンの第二使用状態参考図である。
【図７】図６に示すＡ−Ａ断面概略図である。
【図８】図１に示すヘアアイロンの第三使用状態参考図である。
【図９】図１に示すヘアアイロンの第四使用状態参考図である。
【図１０】図１に示すヘアアイロンの第五使用状態参考図である。
【図１１】図１に示すヘアアイロンの第六使用状態参考図である。
【図１２】図１に示すヘアアイロンの第七使用状態参考図である。
【図１３】図１に示すヘアアイロンの第八使用状態参考図である。
【図１４】頭髪タンパク質中の化学構造の概略図である。
【図１５】頭髪の第一部分の第一状態概略図である。
【図１６】頭髪の第一部分の第二状態概略図である。
【図１７】頭髪の第二部分の状態概略図である。
【図１８】頭髪の第三部分の状態概略図である。
【図１９】本発明の実施例３のヘアアイロンの概略図である。
【図２０】本発明の実施例４のヘアアイロンの正面概略図である。
【図２１】図２０に示すヘアアイロンの背面概略図である。
【図２２】図２０に示すヘアアイロンの平面図であり；
【図２３】図２２に示すＡ−Ａ断面図である。
【図２４】図２２に示すＢ−Ｂ断面図である。
【図２５】図２０に示すヘアアイロンの第一使用状態参考図である。
【図２６】図２０に示すヘアアイロンの第二使用状態参考図である。
【図２７】本発明の実施例５のヘアアイロンの概略図である。
【図２８】図２７に示すヘアアイロンのＡ−Ａ断面図である。
【図２９】図２７に示すヘアアイロンの他方の概略図である。
【図３０】図２７に示すヘアアイロンの第一使用状態参考図である。
【図３１】図２７に示すヘアアイロンの第二使用状態参考図である。
【図３２】本発明の実施例６の他方のヘアアイロンの概略図である。
【図３３】本発明の実施例６のヘアアイロンの概略図である。
【図３４】図３３に示すヘアアイロンのＡ−Ａ断面図である。
【図３５】図３３に示すヘアアイロンの他方の概略図である。
【図３６】本発明の実施例６の他方のヘアアイロンの概略図である。
【図３７】図３６に示すＡ−Ａ断面図である。
【図３８】図３３に示すヘアアイロンの第一使用状態参考図である。
【図３９】図３３に示すヘアアイロンの第二使用状態参考図である。
【図４０】本発明の実施例７のヘアアイロンの概略図である。
【図４１】図４０に示すＡ−Ａ断面図である。
【図４２】図４０に示すヘアアイロンの第一使用状態参考図である。
【図４３】図４０に示すヘアアイロンの第二使用状態参考図である。
【図４４】本発明の実施例７の他方のヘアアイロンの概略図である。
【図４５】本体の軸方向がグリップ部材の軸方向と合致しないヘアアイロンの概略図である。
【発明を実施するための形態】
【００３５】
本発明の技術原理は：ヘアアイロンの加熱部材と、頭髪を冷却するのに用いる成形部材とを分けることで、長時間の頭髪の加熱に起因する頭髪の熱傷の問題を回避することである。
【００３６】
本発明は以下の二つの実施例を採用しており、その詳細を記述する。
【実施例１】
【００３７】
図１を参照して、図１は本発明の実施例１のヘアアイロンを示している。当該ヘアアイロンは本体１を有し、本体１は頭髪を巻き付け、及びカールさせるための主要部材である。本実施例において、本体１は好ましくは丸棒状を呈す。もちろん、本体１はダンベル状等を呈しても良い。
【００３８】
さらに、図１及び図２を参照して、当該本体１の内部には第一内空間４が形成されており；当該本体１は第一近端２と第一遠端３とを有し；本実施例において、第一近端２及び第一遠端３はそれぞれ本体１の両端をなし；
【００３９】
第一近端２には第一内空間４と連通する第一長形溝６が開設されており；図１及び図２を参照して、本実施例において、第一長形溝６の第一開口８は第一近端２に開設されているため、頭髪３３を非常に容易に第一長形溝６中に入れることができる。もちろん、第一長形溝６の第一開口８は、本体１の側壁に開設されていても良い。
【００４０】
さらに、図１及び図２を参照して、ヘアアイロンはさらに、第一内空間４中に可動的に設けられた第一可動アーム７を有し；前記第一長形溝６の溝壁及び／又は第一可動アーム７には頭髪３３を加熱するための加熱部材が設けられている。
【００４１】
具体的に、図１を参照して、本体１にはさらに連結部材が設けられており、連結部材は可動機構を有し、当該可動機構はヒンジ機構１３であり、前記第一可動アーム７は当該ヒンジ機構１３を通じて本体１と相互に連結されており；本実施例において、連結部材は第一内空間４中に設けられている。
【００４２】
具体的に、本実施例において、図１を参照して、第一長形溝６は第一開口８から第一遠端３に向かって延伸しており、第一長形溝６において、第一遠端３から離れて、第一近端に接近する部位には底部９が形成されており；ヒンジ機構１３は底部９と第一遠端３の間に設けられており；ヒンジ機構１３の軸心は第一長形溝６の延伸方向に対し垂直であり；第一可動アーム７はヒンジ機構１３の軸心を枢軸として回転し、第一長形溝６の溝壁と挟み部を形成する。当該挟み部は頭髪３３を挟持するのに用いられる。
【００４３】
さらに、本実施例において、加熱部材は、第一可動アーム７に設けられた加熱面１２と、加熱面１２と連結し、加熱面１２を昇温させるための加熱ユニット２８とを有する。本体１の第一近端２側の側壁は、頭髪３３を冷却するのに用いられる本体外壁５であり；
【００４４】
本体外壁５が加熱された頭髪３３を冷却する際、冷却された頭髪３３の形状が定まる。通常、加熱部材の作動時において、加熱面１２の温度は本体外壁５の温度より高く；加熱面１２の温度が１８０℃より高いとき、本体外壁５の温度と加熱面１２の温度との差は少なくとも９０℃であり、又は本体外壁５の温度は加熱面１２の温度と比べて５０％低い。このため、図７に示すように、頭髪３３をカールさせるために、本体外壁５は曲面２７を有する。
【００４５】
さらに、本実施例において、図１を参照して、第一可動アーム７及び第一長形溝６の溝壁による頭髪３３の挟持時間が長すぎるが故に、頭髪３３が過度に加熱され、熱傷を被るのを防止するために、第一長形溝６の溝壁と第一可動アーム７の間の最小間隔は少なくとも０.５ｍｍである。ここで、通常の場合、図５に示すように、第一長形溝６の溝壁と第一可動アーム７間では、角度が形成されている。図６に示すように、第一長形溝６の溝壁と第一可動アーム７とが互いに近づいたときに初めて、第一長形溝６の溝壁と第一可動アーム７の間に最小間隔が現れる。このように、頭髪３３は過度にきつく挟まれることはない。
【００４６】
さらに、図１及び図２を参照して、ヒンジ機構１３はさらにボタン１８を有し、当該ボタン１８は連結ロッド１８１を通じてヒンジ機構１３の軸心と連結している。具体的に、本実施例において、ヒンジ機構１３はボタン１８を有している。本体１の内部にはさらに、第二内空間が形成されており、底部９には第二内空間と連通する連通孔が開設されている。ボタン１８は連結ロッド１８１を通じて当該連通孔に通されており、ヒンジ機構１３の軸心と連結している。一方、本体１にはさらに、第二内空間と連通し、ボタン１８を露出させるためのボタン孔１８２が開設されている。このように、ボタン１８を押すことでヒンジ機構１３の軸心を回転させることができ、当該ヒンジ機構１３の軸心と相互連結している第一可動アーム７を回転させることができる。
【００４７】
ボタン１８を容易に復元させるために、本実施例において、本体１はその第二内空間中に基部１９１を形成しており；ヒンジ機構１３はさらに弾性機構１９を有し；当該弾性機構１９はその一端を基部１９１に固定し、他端をボタン１８に取り付けている。このように、ボタン１８を押した後、弾性機構１９は圧縮され、ボタン１８を解放すると、弾性機構１９は即ちボタン１８を押し上げ、従来の位置に当該ボタン１８を復元させる。弾性機構１９はバネを有している。
【００４８】
図８〜図１１に本実施例のヘアアイロンの使用方法を示す。頭髪３３は根元部２２と毛先２３とを含む。使用時において、図８に示すように、頭髪３３の根元部２２に近い部分を第一長形溝６内に入れた後、加熱面１２と接触させる。次に、図９に示すように、本体１を回転させることで、頭髪３３を本体外壁５に巻き付ける。そして、図９〜図１１に示すように、加熱面１２で当該加熱面１２と接触している頭髪３３を加熱しつつ、本体１を毛先２３の方向へと移動させる。このように、図１２に示すように、頭髪３３の加熱面１２によって加熱された部分は第一長形溝６を離れた後、本体外壁５と接触することで冷却され、カール部２４を形成し、頭髪３３の未カール部２５は続けて前記第一長形溝６に進入し、加熱面１２と接触し、これらの工程を繰り返すことにより、頭髪をカールさせる。
【００４９】
図１３〜図１８は前記使用方法の原理を示す。加熱される前の頭髪３３中の構造は図１４及び図１５に示すように、タンパク質中のアミノ酸間は水素結合３２を通じて連結している。図１６に示すように、頭髪３３は、第一長形溝６中に進入したとき、加熱面１２により加熱され、頭髪３３の第一部分２９において、タンパク質中の水素結合３２が切断される。図１７に示すように、第一長形溝６を離れた頭髪３３の第二部分３０は、本体外壁５と接触するとすぐにカールを形成する。図１８に示すように、頭髪３３の本体外壁５により冷却された第三部分３１のタンパク質中の水素結合は再び形成され、当該第三部分３１の形状が定まる。
【実施例２】
【００５０】
実施例１と比較して、実施例２の区別される特徴は：本実施例において、加熱部材は加熱面１２を有さず、第一長形溝６の溝壁に設けられた加熱体１４を有する。その具体的な方案は以下の通りである：
【００５１】
図３を参照して、図３は本発明の実施例２のヘアアイロンを示している。当該ヘアアイロンは本体１を有し、本体１は頭髪を巻き付け、及びカールさせるための主要部材である。本実施例において、本体１は好ましくは丸棒状を呈す。もちろん、本体１はダンベル状等を呈しても良い。
【００５２】
さらに、図３及び図４を参照して、当該本体１の内部には第一内空間４が形成されており；当該本体１は第一近端２と第一遠端３とを有し；本実施例において、第一近端２及び第一遠端３はそれぞれ本体１の両端をなし；
【００５３】
第一近端２には第一内空間４と連通する第一長形溝６が開設されており；図３及び図４を参照して、本実施例において、第一長形溝６の第一開口８は第一近端２に開設されているため、頭髪３３を非常に容易に第一長形溝６中に入れることができる。もちろん、第一長形溝６の第一開口８は、本体１の側壁に開設されていても良い。
【００５４】
さらに、図３及び図４を参照して、ヘアアイロンはさらに、第一内空間４中に可動的に設けられた第一可動アーム７を有し；前記第一長形溝６の溝壁及び／又は第一可動アーム７には頭髪３３を加熱するための加熱部材が設けられている。
【００５５】
具体的に、図３を参照して、本体１にはさらに連結部材が設けられており、連結部材は可動機構を有し、当該可動機構はヒンジ機構１３であり、前記第一可動アーム７は当該ヒンジ機構１３を通じて本体１と相互に連結されており；本実施例において、連結部材は第一内空間４中に設けられている。
【００５６】
具体的に、本実施例において、図３を参照して、第一長形溝６は第一開口８から第一遠端３に向かって延伸しており、第一長形溝６において、第一遠端３から離れて、第一近端に接近する部位には底部９が形成されており；ヒンジ機構１３は底部９と第一遠端３の間に設けられており；ヒンジ機構１３の軸心は第一長形溝６の延伸方向に対し垂直であり；第一可動アーム７はヒンジ機構１３の軸心を枢軸として回転し、第一長形溝６の溝壁と挟み部を形成する。当該挟み部は頭髪３３を挟持するのに用いられる。
【００５７】
さらに、本実施例において、加熱部材は、第一長形溝６の溝壁に設けられている加熱体１４と、加熱体１４と連結し、加熱体１４を昇温させるための加熱ユニット２８とを有し、本体１内にはさらに、断熱構造１５が設けられており；加熱体１４は当該断熱構造１５を通じて本体１と連結している。本体１の第一近端２側の側壁は、頭髪３３を冷却するのに用いられる本体外壁５であり；
【００５８】
本体外壁５が加熱された頭髪３３を冷却する際、冷却された頭髪３３の形状が定まる。通常、加熱部材の作動時において、加熱面１２の温度は本体外壁５の温度より高く；加熱面１２の温度が１８０℃より高いとき、本体外壁５の温度と加熱面１２の温度との差は少なくとも９０℃であり、又は本体外壁５の温度は加熱面１２の温度と比べて５０％低い。このため、図７に示すように、頭髪３３をカールさせるために、本体外壁５は曲面２７を有する。
【００５９】
さらに、本実施例において、図３を参照して、第一可動アーム７及び第一長形溝６の溝壁による頭髪３３の挟持時間が長すぎるが故に、頭髪３３が過度に加熱され、熱傷を被るのを防止するために、第一長形溝６の溝壁と第一可動アーム７の間の最小間隔は少なくとも０.５ｍｍである。ここで、通常の場合、図５に示すように、第一長形溝６の溝壁と第一可動アーム７間では、角度が形成されている。図６に示すように、第一長形溝６の溝壁と第一可動アーム７とが互いに近づいたときに初めて、第一長形溝６の溝壁と第一可動アーム７の間に最小間隔が現れる。このように、頭髪３３は過度にきつく挟まれることはない。
【００６０】
さらに、図３及び図４を参照して、ヒンジ機構１３はさらにボタン１８を有し、当該ボタン１８は連結ロッド１８１を通じてヒンジ機構１３の軸心と連結している。具体的に、本実施例において、ヒンジ機構１３はボタン１８を有している。本体１の内部にはさらに、第二内空間が形成されており、底部９には第二内空間と連通する連通孔が開設されている。ボタン１８は連結ロッド１８１を通じて当該連通孔に通されており、ヒンジ機構１３の軸心と連結している。一方、本体１にはさらに、第二内空間と連通し、ボタン１８を露出させるためのボタン孔１８２が開設されている。このように、ボタン１８を押すことでヒンジ機構１３の軸心を回転させることができ、当該ヒンジ機構１３の軸心と相互連結している第一可動アーム７を回転させることができる。
【００６１】
ボタン１８を容易に復元させるために、本実施例において、本体１はその第二内空間中に基部１９１を形成しており；ヒンジ機構１３はさらに弾性機構１９を有し；当該弾性機構１９はその一端を基部１９１に固定し、他端をボタン１８に取り付けている。このように、ボタン１８を押した後、弾性機構１９は圧縮され、ボタン１８を解放すると、弾性機構１９は即ちボタン１８を押し上げ、従来の位置に当該ボタン１８を復元させる。弾性機構１９はバネを有している。
【実施例３】
【００６２】
実施例１と比較して、実施例３の区別される特徴は：本実施例において、ヘアアイロンはさらに、第一内空間４中に可動的に設けられている第二可動アーム１０を有する。その具体的な方案は以下の通りである：
【００６３】
図１９を参照して、図１９は本発明の実施例３のヘアアイロンを示している。当該ヘアアイロンは本体１を有し、本体１は頭髪を巻き付け、及びカールさせるための主要部材である。本実施例において、本体１は好ましくは丸棒状を呈す。もちろん、本体１はダンベル状等を呈しても良い。
【００６４】
さらに、図１９を参照して、当該本体１の内部には第一内空間４が形成されており；当該本体１は第一近端２と第一遠端３とを有し；本実施例において、第一近端２及び第一遠端３はそれぞれ本体１の両端をなし；
【００６５】
第一近端２には第一内空間４と連通する第一長形溝６が開設されており；図１９を参照して、本実施例において、第一長形溝６の第一開口８は第一近端２に開設されているため、頭髪３３を非常に容易に第一長形溝６中に入れることができる。もちろん、第一長形溝６の第一開口８は、本体１の側壁に開設されていても良い。
【００６６】
さらに、図１９を参照して、ヘアアイロンはさらに、第一内空間４中に可動的に設けられた第一可動アーム７を第二可動アーム１０と有し；前記第一長形溝６の溝壁及び／又は第一可動アーム７には頭髪３３を加熱するための加熱部材が設けられている。
【００６７】
具体的に、図１９を参照して、本体１にはさらに連結部材が設けられており、連結部材は可動機構を有し、当該可動機構はヒンジ機構１３であり、前記第一可動アーム７及び第二可動アーム１０は当該ヒンジ機構１３を通じて本体１と相互に連結されており；本実施例において、連結部材は第一内空間４中に設けられている。
【００６８】
具体的に、本実施例において、図１９を参照して、第一長形溝６は第一開口８から第一遠端３に向かって延伸しており、第一長形溝６において、第一遠端３から離れて、第一近端に接近する部位には底部９が形成されており；ヒンジ機構１３は底部９と第一遠端３の間に設けられており；ヒンジ機構１３の軸心は第一長形溝６の延伸方向に対し垂直であり；第一可動アーム７及び第二可動アーム１０はそれぞれヒンジ機構１３の軸心を枢軸として回転し、このように、第一可動アーム７と第二可動アーム１０とで挟み部を形成する。当該挟み部は頭髪３３を挟持するのに用いられる。
【００６９】
さらに、本実施例において、加熱部材は、第一可動アーム７及び第二可動アーム１０の各々に設けられた加熱面１２と、当該二つの加熱面１２と連結し、加熱面１２を昇温させるための加熱ユニット２８とを有する。本体１の第一近端２側の側壁は、頭髪３３を冷却するのに用いられる本体外壁５であり；
【００７０】
本体外壁５が加熱された頭髪３３を冷却する際、冷却された頭髪３３の形状が定まる。通常、加熱部材の作動時において、加熱体１４の温度は本体外壁５の温度より高く；加熱体１４の温度が１８０℃より高いとき、本体外壁５の温度と加熱体１４の温度との差は少なくとも９０℃であり、又は本体外壁５の温度は加熱体１４の温度と比べて５０％低い。このため、図７に示すように、頭髪３３をカールさせるために、本体外壁５は曲面２７を有する。
【００７１】
さらに、本実施例において、図１９を参照して、第一可動アーム７及び第二可動アーム１０による頭髪３３の挟持時間が長すぎるが故に、頭髪３３が過度に加熱され、熱傷を被るのを防止するために、第一可動アーム７と第二可動アーム１０の間の最小間隔は少なくとも０.５ｍｍである。ここで、通常の場合、図１９に示すように、第一可動アーム７と第二可動アーム１０間では、角度が形成されている。ヒンジ機構１３の軸心が回転して、第一長形溝６の溝壁と第一可動アーム７とを互いに近づかせたときに初めて、第一長形溝６の溝壁と第一可動アーム７の間に最小間隔が現れる。このように、頭髪３３は過度にきつく挟まれることはない。
【００７２】
さらに、図１９を参照して、ヒンジ機構１３はさらに第一ボタン１８ａと第二ボタン１８ｂとを有する。本体１の内部にはさらに、第二内空間が形成されており、底部９には第二内空間と連通する連通孔が開設されている。第一ボタン１８ａは第一連結ロッド１８１ａを通じて第二可動アーム１０と連結することで、ヒンジ機構１３を軸心として回転する第一挟みアームを形成し；第二ボタン１８ｂは第二連結ロッド１８１ｂを通じて第一可動アーム７と連結することで、ヒンジ機構１３を軸心として回転する第二挟みアームを形成する。一方、本体１にはさらに、第二内空間と連通し、第一ボタン１８ａを露出させるための第一ボタン孔１８２ａ、及び第二内空間と連通し、第二ボタン１８ｂを露出させるための第二ボタン孔１８２ｂが開設されている。このように、第一ボタン１８ａ及び第二ボタン１８ｂを同時に押すことで、第一可動アーム７と第二可動アーム１０を互いに接近させることができる。
【００７３】
第一ボタン１８ａ及び第二ボタン１８ｂを容易に復元させるために、本実施例において、本体１はその第二内空間中に第一基部１９１ａ及び第二基部１９１ｂを形成しており；ヒンジ機構１３はさらに第一弾性機構１９ａ及び第二弾性機構１９ｂを有し；当該第一弾性機構１９ａはその一端を第一基部１９１ａに固定し、他端を第一ボタン１８ａに取り付けている。当該第二弾性機構１９ｂはその一端を第二基部１９１ｂに固定し、他端を第二ボタン１８ｂに取り付けている。このように、第一ボタン１８ａを押した際、第一弾性機構１９ａは圧縮され、第一ボタン１８ａを解放すると、第一弾性機構１９ａは即ち第一ボタン１８ａを押し上げ、従来の位置に当該第一ボタン１８ａを復元させる。同様に、第二ボタン１８ｂを押した際、第二弾性機構１９ｂは圧縮され、第二ボタン１８ｂを解放すると、第二弾性機構１９ｂは即ち第二ボタン１８ｂを押し上げ、従来の位置に当該第二ボタン１８ｂを復元させる。ここで、第一弾性機構１９ａ及び／又は第二弾性機構１９ｂはバネを有している。
【００７４】
さらに、本実施例において、ヘアアイロンはさらにグリップ部材２０を有し；第一遠端３には回転可能機構２１が設けられており、当該回転可能機構２１は回転可能にグリップ部材２０に取付けられている。
【００７５】
具体的に、本実施例において、グリップ部材２０の側壁には環状の位置限定溝２０１が開設されており、第一遠端３には第二内空間と連通する位置限定孔３０１が設けられている。このようにして、第一遠端３は環状の回転可能機構２１を形成し、当該回転可能機構２１は回転可能に位置限定溝２０１内に取付けられているため、本体１をグリップ部材２０に対し回転させることができる。
【実施例４】
【００７６】
実施例３と比較して、実施例４の区別される特徴は：実施例４のヘアアイロンは連結部材を有さず、且つ第一可動アーム７及び第二可動アーム１０は双方とも回転可能機構２１と固定的に連結している。
【００７７】
具体的に、図２０〜図２４に示すように、図２０は本発明の実施例４のヘアアイロンの正面概略図であり；図２１は図２０に示すヘアアイロンの背面概略図であり；図２２は図２０に示すヘアアイロンの平面概略図であり；図２３は図２２に示すＡ―Ａ断面図であり；図２４は図２２に示すＢ―Ｂ断面図である。
【００７８】
図２０〜図２１において、ヘアアイロンは頭髪３３をカールさせるのに用いられる本体１を有し、当該本体１は第一近端２と第一遠端３とを有し；本体１の内部には、第一内空間４が形成されており；第一近端２には、第一内空間４と連通する第一長形溝６が開設されており；第一長形溝６の第一開口８は第一近端２に開設されており；第一長形溝６は第一開口８から第一遠端３に向かって延伸しており；ヘアアイロンはさらに、可動的に第一内空間４中に設けられている第一可動アーム７と第二可動アーム１０とを有し；第一可動アーム７及び／又は第二可動アーム１０には、頭髪３３を加熱するのに用いられる加熱部材が設けられている。
【００７９】
図２２〜図２４に示すように、第一可動アーム７及び第二可動アーム１０はそれぞれ、回転可能機構２１と固定的に連結している。第一近端２の第一開口８が設けられている部位には、切欠き口５６がさらに開設されており、当該切欠き口５６は第一開口８から第一遠端３に向かって、切欠き底端５９まで延伸し；切欠き口５６の延伸長さは第一長形溝６の延伸長さより短い。
【００８０】
図２３〜図２４に示すように、ヘアアイロンはさらに、グリップ部材２０と、回転可能に第一遠端３に設けられ、且つ当該グリップ部材２０と連結している回転可能機構２１とを有する。切欠き口５６と第一長形溝６の延伸長さは不同一であるため、頭髪の回転時に頭髪が重なり合って結び目ができることはない。
【００８１】
使用時において、図２５に示すように、頭髪３３を切欠き口５６及び第一長形溝６中に置き、当該頭髪３３が第一可動アーム７と第二可動アーム１０の間に位置するようにした後；図２６に示すように、第一可動アーム７及び第二可動アーム１０を本体１及び第一長形溝６に対し相対的に回転させることで、頭髪３３を第一可動アーム７及び第二可動アーム１０に巻き付け、加熱ユニット２８による加熱に供する。
【実施例５】
【００８２】
実施例４と比較して、実施例５の区別される特徴は：第一可動アーム７及び第二可動アーム１０の各々の代わりに、第一加熱アーム７７及び第二加熱アーム７１０が用いられる。
【００８３】
図２７〜図２９に示すように、図２７は本発明の実施例５のヘアアイロンの概略図であり；図２８は図２７に示すヘアアイロンのＡ―Ａ断面図であり；図２９は図２７に示すヘアアイロンのＢ―Ｂ断面図である。
【００８４】
具体的に、図２７〜図２９において、本体１の内部に第一内空間４が形成されており；第一近端２には、第一内空間４と連通する第一長形溝６が開設されており；第一長形溝６の第一開口８は第一近端２に開設されており；第一長形溝６は第一開口８から第一遠端３に向かって延伸しており；ヘアアイロンはさらに、回転可能機構２１と固定的に連結している第一加熱アーム７７を有し、当該第一加熱アーム７７には、頭髪３３を加熱するために用いられる加熱部材が設けられている。
【００８５】
本実施例において、第一加熱アーム７７は円柱状を呈しており、且つ、第一加熱アーム７７は第一内空間４の外側まで延伸している。本体１の径方向における幅は第一近端２から第一遠端３に向かって狭く形成されている。
【００８６】
図３０及び図３１に示すように、ヘアアイロンの作動時において、頭髪３３は第一開口８から第一内空間４中に進入し、第一長形溝６の延伸方向に従って移動し、第一加熱アーム７７に付着することで加熱される。
【００８７】
さらに、好ましくは図３２に示すように、図３２は本発明の実施例５の他方のヘアアイロンの概略図である。
【００８８】
図３２において、ヘアアイロンはさらに、回転可能機構２１と連結している第二加熱アーム７１０を有し；第二加熱アーム７１０は第一内空間４の外側まで延伸している。回転可能機構２１の回転により、第一加熱アーム７７及び第二加熱アーム７１０は固定された本体１に対して回転する。このようにして、第一長形溝６及び第一内空間４中に入れた頭髪３３は第一加熱アーム７７及び第二加熱アーム７１０に巻き付けられ、より良い加熱を実現できる。
【実施例６】
【００８９】
実施例５と比較して、実施例６の区別される特徴は：第一加熱アーム７７は固定的に設けられている一方、本体１は回転可能であり、第一長形溝６の形状も異なる。
【００９０】
図３３〜図３５に示すように、図３３は本発明の実施例６のヘアアイロンの概略図であり；図３４は図３３に示すヘアアイロンのＡ―Ａ断面図であり；図３５は図３３に示すヘアアイロンの他方の概略図である。
【００９１】
具体的に、図３３〜図３５において、第一長形溝６の本体１の周方向に沿う幅は、第一近端２から第一遠端３に向かって先に拡大し、後に縮小していくよう形成されている。第一開口８は第一加熱アーム７７と環状開口を構成し、第一開口８は近端（２）側に二つの近端角を形成している。
【００９２】
図３８及び図３９に示すように、ヘアアイロンの作動時において、頭髪３３は第一開口８から第一内空間４中に進入した後、本体１及び第一長形溝６は第一加熱アーム７７に対して回転し、頭髪３３は第一長形溝６の延伸方向に従って移動し、第一加熱アーム７７に付着することで加熱される。
【００９３】
好ましくは図３６〜図３７に示すように、本体１は内壁９７を有し、当該内壁には凸骨部９９が設けられており、当該凸骨部９９は第一近端２から第一遠端３に向かって延伸している。本実施例において、複数の凸骨部９９が設けられている。
【００９４】
これら複数の凸骨部９９により、第一長形溝６中に入れた頭髪３３の位置を限定することができ、より良く加熱を行うことができる。
【実施例７】
【００９５】
実施例６と比較して、実施例７の区別される特徴は：ヘアアイロンはさらに、本体１と同軸に設けられ、且つグリップ部材２０と固定的に連結するカバー５１を有する。
【００９６】
具体的に、図４０〜図４１に示すように、図４０は本発明の実施例７のヘアアイロンの概略図であり；図４１は図４０に示すＡ―Ａ断面図である。
【００９７】
カバー５１は第二近端５２と第二遠端５３とを有し、第二長形溝５４が当該カバー５１に開設されており、当該第二長形溝５４の第二開口５８は第二近端５２に設けられており；且つ、当該第二長形溝５４は第二近端５２から第二遠端５３に向かって延伸している。
【００９８】
好ましくは、第二長形溝５４のカバー５１の周方向に沿う幅は、第二近端５２から第二遠端５３に向かって狭く形成されている。
【００９９】
図４２及び図４３に示すように、動作時において、頭髪３３を第二長形溝５４及び第一長形溝６に入れ；回転可能機構２１の回転により、本体１及び第一長形溝６はカバー５１及び第二長形溝５４に対して回転し；このようにして、頭髪３３は第一加熱アーム７７に巻き付けられ、加熱される。
【０１００】
さらに、ヘアアイロンはグリップ部材２０に設けられ、回転可能機構２１を回転駆動させるための電動機（図示せず）を有する。ヘアアイロンはさらに、グリップ部材２０に設けられ、回転可能機構２１の回転位置を検出する回転位置検出装置（図示せず）；及び電動機と回転位置検出装置の各々と電気的に連結し、ヘアアイロンの動作停止後、回転可能機構２１が初期位置に復帰するよう制御する制御ユニット（図示せず）を有する。
【０１０１】
図４４に示すように、本体１の軸方向はグリップ部材２０の軸方向と合致しても良く、又は図４５に示すように、グリップ部材２０の軸方向と合致しなくても良い。
【０１０２】
また、本発明は、以下の工程を含む、ヘアアイロンの使用方法を提供する：
【０１０３】
Ｓ１）本体１を有するヘアアイロンにおいて、当該本体１の内部には第一内空間４が形成され；当該本体１は第一近端２と第一遠端３とを有し；前記第一近端２には前記第一内空間４と連通する第一長形溝６が開設されており；前記ヘアアイロンはさらに前記第一内空間４中に設けられた加熱部材を有し；前記本体１の前記第一近端２側の側壁は頭髪３３を冷却するための本体外壁５であり；
【０１０４】
Ｓ２）頭髪３３は根元部２２及び毛先２３を含み；頭髪３３の根元部２２に近い部分を前記第一長形溝６内に入れた後、前記本体１を回転させることで、頭髪３３を前記本体外壁５に巻き付け；
【０１０５】
Ｓ３）頭髪３３の前記第一長形溝６中にある部分を前記加熱部材で加熱しつつ、前記本体１を前記毛先２３の方向へと移動させることで、頭髪３３の前記加熱部材によって加熱された部分は前記第一長形溝６を離れた後、前記本体外壁５と接触することで冷却され、カール部２４を形成し、頭髪３３の未カール部２５は続けて前記第一長形溝６に進入し、前記加熱部材により加熱され；
【０１０６】
Ｓ４）工程Ｓ３を繰り返すことにより、頭髪３３をカールさせる。
【産業上の利用可能性】
【０１０７】
本発明は、加熱部材をヘアアイロンの内部に設け、頭髪をヘアアイロンの外部で冷却させることで、過度の頭髪の加熱による深刻なダメージを回避する。さらに、本発明は、曲面を有する本体外壁により、加熱された頭髪を迅速に冷却するという目的を達成し、頭髪をカールさせる効率を向上させる。本発明は簡単で使いやすく、安全である。
【図１】
0006268311.tif 000002
【図２】
0006268311.tif 000003
【図３】
0006268311.tif 000004
【図４】
0006268311.tif 000005
【図５】
0006268311.tif 000006
【図６】
0006268311.tif 000007
【図７】
0006268311.tif 000008
【図８】
0006268311.tif 000009
【図９】
0006268311.tif 000010
【図１０】
0006268311.tif 000011
【図１１】
0006268311.tif 000012
【図１２】
0006268311.tif 000013
【図１３】
0006268311.tif 000014
【図１４】
0006268311.tif 000015
【図１５】
0006268311.tif 000016
【図１６】
0006268311.tif 000017
【図１７】
0006268311.tif 000018
【図１８】
0006268311.tif 000019
【図１９】
0006268311.tif 000020
【図２０】
0006268311.tif 000021
【図２１】
0006268311.tif 000022
【図２２】
0006268311.tif 000023
【図２３】
0006268311.tif 000024
【図２４】
0006268311.tif 000025
【図２５】
0006268311.tif 000026
【図２６】
0006268311.tif 000027
【図２７】
0006268311.tif 000028
【図２８】
0006268311.tif 000029
【図２９】
0006268311.tif 000030
【図３０】
0006268311.tif 000031
【図３１】
0006268311.tif 000032
【図３２】
0006268311.tif 000033
【図３３】
0006268311.tif 000034
【図３４】
0006268311.tif 000035
【図３５】
0006268311.tif 000036
【図３６】
0006268311.tif 000037
【図３７】
0006268311.tif 000038
【図３８】
0006268311.tif 000039
【図３９】
0006268311.tif 000040
【図４０】
0006268311.tif 000041
【図４１】
0006268311.tif 000042
【図４２】
0006268311.tif 000043
【図４３】
0006268311.tif 000044
【図４４】
0006268311.tif 000045
【図４５】
0006268311.tif 000046